(57)【特許請求の範囲】
【請求項１】
ケースに一体的に固定され、電子部品をはんだ付けするはんだ付け部と、前記はんだ付け部から延在し、前記ケースに一体に的に固定され、はんだ付けされた前記電子部品を配線する配線部とからなる配線金属板において、
前記配線部は、前記はんだ付け部に隣接する部分に立設され、前記ケースの段差部に嵌合する、前記はんだ付け部に比べ高さの高い壁部を有することを特徴とする配線金属板。
【請求項２】
前記壁部は、前記配線部を屈曲して形成されていることを特徴とする請求項１に記載の配線金属板。
【発明の詳細な説明】
【技術分野】
【０００１】
本発明は、はんだ付けによって電子部品を配線する配線金属板に関する。
【背景技術】
【０００２】
従来、はんだ付けによって電子部品を配線する配線金属板として、例えば特開２００４−２００４６４号公報に開示されている金属板配線板がある。この金属配線板は、所定の回路パターン形状をなす金属からなる配線部の集合体として構成されている。配線部には、電子部品をはんだ付けするためのはんだ付け部が形成されている。
【０００３】
ところで、はんだは、溶融すると金属の上を広がる。しかし、広がり過ぎると適切なはんだフィレットが形成されず、充分な接合強度を得ることができない。そのため、はんだ付け部以外の領域は、はんだの付着を防止するソルダレジスト層によって覆われている。これにより、溶融したはんだの過度の広がりが抑えられ、適切なはんだフィレットが形成される。従って、充分な接合強度を得ることができる。
【先行技術文献】
【特許文献】
【０００４】
【特許文献１】特開２００４−２００４６４号公報
【発明の概要】
【発明が解決しようとする課題】
【０００５】
しかし、前述した金属配線板では、はんだ付け部以外の領域をソルダレジスト層で必ず覆わなければならない。そのため、ソルダレジストの印刷工程が増え、コストを抑えることが困難であった。
【０００６】
本発明はこのような事情に鑑みてなされたものであり、ソルダレジスト層を形成することなく、電子部品を確実にはんだ付けすることができ、コストを抑えられる配線金属板を提供することを目的とする。
【課題を解決するための手段】
【０００７】
そこで、本発明者は、この課題を解決すべく鋭意研究し試行錯誤を重ねた結果、はんだ付け部に隣接する部分に、壁部を設けることで、ソルダレジスト層を形成することなく、電子部品を確実にはんだ付けすることができ、コストを抑えられることを思いつき、本発明を完成するに至った。
【０００８】
請求項１に記載の配線金属板は、  ケースに一体的に固定され、電子部品をはんだ付けするはんだ付け部と、はんだ付け部から延在し、ケースに一体に的に固定され、はんだ付けされた電子部品を配線する配線部とからなる配線金属板において、配線部は、はんだ付け部に隣接する部分に立設され、ケースの段差部に嵌合する、はんだ付け部に比べ高さの高い壁部を有することを特徴とする。この構成によれば、壁部によって、溶融したはんだの流れを抑えることができる。従って、ソルダレジスト層を形成することなく、電子部品を確実にはんだ付けすることができる。
【０００９】
請求項２に記載の配線金属板は、請求項１に記載の配線金属板において、さらに、壁部は、配線部を屈曲して形成されていることを特徴とする。この構成によれば、配線金属板を加工する際に、プレス等によって、壁部を同時に形成することができる。そのため、ソルダレジスト層を形成する印刷工程のように、全く別の工程を新たに設ける必要がない。従って、コストを抑えることができる。
【図面の簡単な説明】
【００１０】
【図１】従来実施形態における加速度センサ装置の断面図である。
【図２】リッドを外した状態での加速度センサ装置の背面図である。
【図３】第１実施形態の加速度センサ装置におけるコンデンサ周辺の部分拡大図である。
【図４】第２実施形態の加速度センサ装置におけるコンデンサ周辺の部分拡大図である。
【発明を実施するための形態】
【００１１】
次に実施形態を挙げ、本発明をより詳しく説明する。本実施形態では、本発明に係る配線金属板を、車両に加わる加速度を検出する加速度センサ装置に適用した例を示す。
【００１２】
（従来実施形態）
まず、図１及び図２を参照して加速度センサ装置の構成について説明する。ここで、図１は、従来実施形態における加速度センサ装置の断面図である。図２は、リッドを外した状態での加速度センサ装置の背面図である。
【００１３】
図１及び図２に示すように、加速度センサ装置１は、加速度センサ素子１００と、コンデンサ１０１、１０２と、ケース１０３と、リッド１０４と、コネクタターミナル１０５〜１０８と、ターミナル１０９、１１０とから構成されている。
【００１４】
加速度センサ素子１００は、
加速度を検出し、対応する信号に変換して出力するための素子である。加速度センサ素子１００は、半導体からなるセンサチップをセラミックパッケージ等に収容して構成されている。コンデンサ１０１、１０２は、加速度センサ素子１００を動作させるための素子である。加速度センサ素子１００及びコンデンサ１０１、１０２によって電子回路が構成されている。
【００１５】
ケース１０３は、加速度センサ素子１００及びコンデンサ１０１、１０２を収容するための樹脂からなる部材である。ケース１０３には、加速度センサ素子１００及びコンデンサ１０１、１０２を収容するための空間を構成する凹部１０３ａが形成されている。リッド１０４は、ケース１０３の開口部、つまり、凹部１０３ａの開口部を密閉する樹脂からなる板状の部材である。
【００１６】
コネクタターミナル１０５〜１０８は、加速度センサ１００とコンデンサ１０１、１０２を配線するとともに、外部装置に接続するための所定形状に加工された金属からなる板状の部材である。
【００１７】
コネクタターミナル１０５、１０６、１０８は、加速度センサ１００を外部装置に接続するための所定形状に加工された金属からなる板状の部材である。
【００１８】
コネクタターミナル１０７（配線金属板）は、加速度センサ１００とコンデンサ１０１、１０２を配線するとともに、外部装置に接続するための所定形状に加工された金属からなる板状の部材である。コネクタターミナル１０７は、はんだ付け部１０７ａ、１０７ｂと、配線部１０７ｃとを備えている。はんだ付け部１０７ａ、１０７ｂは、コネクタターミナル１０７の中間部に形成され、コンデンサ１０１、１０２の端部がはんだ付けされる部位である。配線部１０７ｃは、はんだ付け部１０７ａ、１０７ｂから延在し、はんだ付けされたコンデンサ１０１、１０２を配線する部位である。配線部１０７ｃのうち、はんだ付け部１０７ａ、１０７ｂに隣接する部分には、はんだ付け部１０７ａ、１０７ｂに比べ幅の狭い狭幅部１０７ｄ、１０７ｅが形成されている。狭幅部１０７ｄ、１０７ｅは、配線部１０７ｃに円形状の貫通孔１０７ｆ、１０７ｇを設けることで形成されている。
【００１９】
ターミナル１０９、１１０（配線金属板）は、加速度センサ１００とコンデンサ１０１、１０２を配線するための所定形状に加工された金属からなる板状の部材である。
【００２０】
ターミナル１０９は、はんだ付け部１０９ａと、配線部１０９ｂとを備えている。はんだ付け部１０９ａは、ターミナル１０９の一端部に形成され、コンデンサ１０１の端部がはんだ付けされる部位である。配線部１０９ｂは、はんだ付け部１０９ａから延在し、はんだ付けされたコンデンサ１０１を配線する部位である。配線部１０９ｂのうち、はんだ付け部１０９ａに隣接する部分には、はんだ付け部１０９ａに比べ幅の狭い狭幅部１０９ｃが形成されている。狭幅部１０９ｃは、配線部１０９ｂに円形状の貫通孔１０９ｄを設けることで形成されている。
【００２１】
ターミナル１１０は、はんだ付け部１１０ａと、配線部１１０ｂとを備えている。はんだ付け部１１０ａは、ターミナル１１０の一端部に形成され、コンデンサ１０２の端部がはんだ付けされる部位である。配線部１１０ｂは、はんだ付け部１１０ａから延在し、はんだ付けされたコンデンサ１０２を配線する部位である。配線部１１０ｂのうち、はんだ付け部１１０ａに隣接する部分には、はんだ付け部１１０ａに比べ幅の狭い狭幅部１１０ｃが形成されている。狭幅部１１０ｃは、配線部１１０ｂに円形状の貫通孔１１０ｄを設けることで形成されている。
【００２２】
コネクタターミナル１０５〜１０８は、一端部をケース１０３の外部に突出させた状態でケース１０３に一体的に固定されている。ターミナル１０９、１１０も、ケース１０３に一体的に固定されている。ケース１０３には、突出したコネクタターミナル１０５〜１０８の一端部を取囲むように、コネクタハウジング１０３ｂが一体的に形成されている。コネクタターミナル１０５〜１０８の他端部側、及びターミナル１０９、１１０は、表面を露出した状態で凹部１０３ａの底面に固定されている。加速度センサ素子１００は、コネクタターミナル１０５〜１０８及びターミナル１０９、１１０の他端部にはんだ付けされている。コンデンサ１０１は、コネクタターミナル１０７のはんだ付け部１０７ａと、ターミナル１０９のはんだ付け部１０９ａに、はんだ１１１によってはんだ付けされている。コンデンサ１０２は、コネクタターミナル１０７のはんだ付け部１０７ｂと、ターミナル１１０のはんだ付け部１１０ａに、はんだ１１１によってはんだ付けされている。加速度センサ素子１００及びコンデンサ１０１、１０２の収容された凹部１０３ａの開口部は、リッド１０４によって密閉されている。
【００２３】
（第１実施形態）
次に、第１実施形態の加速度センサ装置について説明する。第１実施形態の加速度センサ装置は、従来実施形態の加速度センサ装置に対して、狭幅部を壁部に変更したものである。
【００２４】
まず、図３を参照してコンデンサ周辺の構成について説明する。ここで、図３は、第１実施形態の加速度センサ装置におけるコンデンサ周辺の部分拡大図である。特に、図３（ａ）は、背面から見たコンデンサ周辺の部分拡大図である。図３（ｂ）は、（ａ）におけるＡ−Ａ矢視断面図である。ここでは、従来実施形態の加速度センサ装置との相違部分であるコンデンサ周辺の構成、特に、コンデンサ１０１周辺の構成についてのみ説明し、共通する部分については必要とされる箇所以外説明を省略する。なお、従来実施形態と同一の要素には同一の符号を付して説明する。
【００２５】
図３に示すように、コネクタターミナル１０７（配線金属板）は、はんだ付け部１０７ａと、配線部１０７ｃとを備えている。配線部１０７ｃのうち、はんだ付け部１０７ａに隣接する部分には、はんだ付け部１０７ａに比べ高さの高い壁部１０７ｊが形成されている。壁部１０７ｊは、配線部１０７ｃを屈曲して形成されている。ターミナル１０９（配線金属板）は、はんだ付け部１０９ａと、配線部１０９ｂとを備えている。配線部１０９ｂのうち、はんだ付け部１０９ａに隣接する部分には、はんだ付け部１０９ａに比べ高さの高い壁部１０９ｇが形成されている。壁部１０９ｇは、配線部１０９ｂを屈曲して形成されている。コンデンサ１０１は、コネクタターミナル１０７のはんだ付け部１０７ａと、ターミナル１０９のはんだ付け部１０９ａに、はんだ１１１によってはんだ付けされている。なお、コンデンサ１０２に対しても同様の構成がとられている。
【００２６】
次に、効果について説明する。第１実施形態によれば、壁部１０７ｊ、１０９ｇによって、溶融したはんだ１１１の流れを抑えることができる。従って、ソルダレジスト層を形成することなく、コンデンサ１０１を確実にはんだ付けすることができる。しかも、壁部１０７ｊ、１０９ｇは、配線部１０７ｃ、１０９ｂを屈曲して形成されている。そのため、コネクタターミナル１０７及びターミナル１０９を所定形状に加工する際に、プレス等によって、同時に形成することができる。従って、ソルダレジスト層を形成する印刷工程のように、全く別の工程を新たに設ける必要がなく、コストを抑えることができる。
【００２７】
（第２実施形態）
次に、第２実施形態の加速度センサ装置について説明する。第２実施形態の加速度センサ装置は、従来実施形態の加速度センサ装置に対して、狭幅部を、はんだ付け部の材質に比べはんだ流れの悪い材質からなるめっき層に変更にしたものである。
【００２８】
まず、図４を参照してコンデンサ周辺の構成について説明する。ここで、図４は、第２実施形態の加速度センサ装置におけるコンデンサ周辺の部分拡大図である。特に、図４（ａ）は、背面から見たコンデンサ周辺の部分拡大図である。図４（ｂ）は、（ａ）におけるＣ−Ｃ矢視断面図である。ここでは、従来実施形態の加速度センサ装置との相違部分であるコンデンサ周辺の構成、特に、コンデンサ１０１周辺の構成についてのみ説明し、共通する部分については必要とされる箇所以外説明を省略する。なお、従来実施形態と同一の要素には同一の符号を付して説明する。
【００２９】
図４に示すように、コネクタターミナル１０７（配線金属板）は、はんだ付け部１０７ａと、配線部１０７ｃとを備えている。配線部１０７ｃのうち、はんだ付け部１０７ａに隣接する部分の表面には、はんだ付け部１０７ａの材質に比べはんだ流れの悪い材質からなるめっき層１０７ｌが、帯状に形成されている。ターミナル１０９（配線金属板）は、はんだ付け部１０９ａと、配線部１０９ｂとを備えている。配線部１０９ｂのうち、はんだ付け部１０９ａに隣接する部分の表面には、はんだ付け部１０９ａに比べはんだ流れの悪い材質からなるめっき層１０９ｉが帯状に形成されている。コンデンサ１０１は、コネクタターミナル１０７のはんだ付け部１０７ａと、ターミナル１０９のはんだ付け部１０９ａに、はんだ１１１によってはんだ付けされている。
【００３０】
次に、効果について説明する。第２実施形態によれば、はんだ付け部１０７ａ、１０９ａの材質に比べはんだ流れの悪い材質からなるめっき層１０７ｌ、１０９ｉによって、溶融したはんだの流れを抑えることができる。従って、ソルダレジスト層を形成することなく、コンデンサ１０１を確実にはんだ付けすることができる。
【符号の説明】
【００３１】
１・・加速度センサ装置、１００・・・加速度センサ素子、１０１、１０２・・・コンデンサ、１０３・・・ケース、１０３ａ・・・凹部、１０３ｂ・・・コネクタハウジング、１０４・・・リッド、１０５、１０６、１０８・・・コネクタターミナル、１０７・・・コネクタターミナル（配線金属板）、１０７ａ、１０７ｂ・・・はんだ付け部、１０７ｃ・・・配線部、１０７ｄ、１０７ｅ・・・狭幅部、１０７ｆ、１０７ｇ・・・貫通孔、１０７ｊ・・・壁部、１０７ｌ・・・めっき層、１０９、１１０・・・ターミナル（配線金属板）、１０９ａ・・・はんだ付け部、１０９ｂ・・・配線部、１０９ｃ・・・狭幅部、１０９ｄ・・・貫通孔、１０９ｇ・・・壁部、１０９ｉ・・・めっき層、１１０ａ・・・はんだ付け部、１１０ｂ・・・配線部、１１０ｃ・・・狭幅部、１１０ｄ・・・貫通孔、１１１・・・はんだ
【図１】
0004569704.tif 000002
【図２】
0004569704.tif 000003
【図３】
0004569704.tif 000004
【図４】
0004569704.tif 000005